(57)【要約】【課題】カーテン本体により窓を覆ったときに、室外の光又は区画された隣室の光がカーテン本体の側縁から室内に侵入するのを確実に防止する。【解決手段】カーテンレールに沿って移動するカーテン本体１３の両側縁のうち少なくとも一側縁に係止手段２６が取外し不能又は取外し可能に取付けられ、カーテン本体１３によって窓１４を覆った状態で係止手段２６を係止可能な被係止手段２７が係止手段２６に対向する壁１６に取付けられる。係止手段が強磁性体により形成された係止部２６ａを有し、被係止手段が、永久磁石により形成された被係止部２７ａと、この被係止部を保持する保持部２７ｂと、この保持部を壁に取付ける取付部２７ｃと、保持部及び取付部を連結するヒンジ部２７ｄとを有する。保持部、取付部及びヒンジ部がプラスチックにより一体的に形成され、取付部が壁１６に強磁性体製の皿ビス２８により固定される。【選択図】図１
2016147112.tif 000002
【特許請求の範囲】
【請求項１】
壁(16)、窓枠又は天井に取付けられるカーテンレール(12)と、このカーテンレール(12)に沿って移動可能に取付けられ窓(14)を覆うか又は部屋を区画するために用いられるカーテン本体(13)とを備えたカーテンにおいて、
前記カーテン本体(13)の両側縁のうち少なくとも一側縁に係止手段(26)が取外し不能又は取外し可能に取付けられ、
前記カーテン本体(13)によって前記窓(14)を覆った状態又は前記部屋を区画した状態で前記係止手段(26)を係止可能な被係止手段(27)が前記係止手段(26)に対向する壁(16)、窓枠又は柱に取付けられ、
前記係止手段(26)が強磁性体により形成された係止部(26a)を有し、
前記被係止手段(27)が、永久磁石により形成された被係止部(27a)と、この被係止部(27a)を保持する保持部(27b)と、この保持部(27b)を前記壁(16)、窓枠又は柱に取付ける取付部(27c)と、前記保持部(27b)及び前記取付部(27c)を連結するヒンジ部(27d)とを有し、
前記保持部(27b)、取付部(27c)及びヒンジ部(27d)がプラスチックにより一体的に形成され、
前記取付部(27c)が前記壁(16)、窓枠又は柱に強磁性体製の皿ビス(28)により固定され、
前記保持部(27b)が前記ヒンジ部(27d)を中心に前記取付部(27c)に対して回動することにより、前記保持部(27b)が前記取付部(27c)に重なる収納状態と、前記保持部(27b)が前記取付部(27c)に対して略直角になる使用状態とに変更可能に構成された
ことを特徴とするカーテンの光漏れ防止具。
【発明の詳細な説明】
【技術分野】
【０００１】
本発明は、カーテンにより窓を覆ったときにカーテンの側縁から室外の光が室内に侵入するのを防止する光漏れ防止具に関するものである。
【背景技術】
【０００２】
従来、開閉操作される片側垂れ下がりカーテンの合わせ縁に第１止着体が取付けられ、この第１止着体の相手方部材を形成する第２止着体が上記垂れ下がりカーテンと対をなして開閉操作される他側垂れ下がりカーテンの合わせ縁に取付けられたカーテン合わせ具が開示されている（例えば、特許文献１参照。）。このカーテン合わせ具では、第１及び第２止着体が、これらの少なくとも一方側に保持された磁石の吸着作用によって互いに吸着可能な着磁面を有する。また第１及び第２止着体は、これらが装着された上記垂れ下がりカーテンの合わせ縁の垂れ下がり姿勢を維持させる重りとしての機能を有する。
【０００３】
このように構成されたカーテン合わせ具では、カーテンを閉めたときに左右のカーテンの合わせ縁同士を離れないように自然に結合するため、カーテンが風に煽られて開いたり或いはばたつくことを防止できるようになっている。
【先行技術文献】
【特許文献】
【０００４】
【特許文献１】実用新案登録第３０９０３８２号公報（請求項１、段落［００３２］、図４及び図５）
【発明の概要】
【発明が解決しようとする課題】
【０００５】
しかし、上記従来の特許文献１に示されたカーテン合わせ具では、カーテンを閉めたときに、左右のカーテンの合わせ縁ではない側縁が固定されていないため、この非固定側縁が風に煽られてはためき、非固定側縁と壁面との隙間が大きくなって、この隙間から室外の光が室内に侵入する不具合があった。
【０００６】
本発明の目的は、カーテン本体により窓を覆ったとき又は部屋を区画したときに、室外の光又は区画された隣室の光がカーテン本体の側縁から室内に侵入するのを確実に防止できる、カーテンの光漏れ防止具を提供することにある。本発明の別の目的は、被係止手段の被係止部、第２面ファスナ又は受け部を房掛けに設けることにより、部品点数の増大を抑制できるとともに、房掛けを壁等に取付けることにより、必然的に被係止手段が壁等に取付けられ、被係止手段自体の壁等への取付作業を不要にすることができる、カーテンの光漏れ防止具を提供することにある。
【課題を解決するための手段】
【０００７】
本発明の第１の観点は、図１〜図３に示すように、壁１６、窓枠又は天井に取付けられるカーテンレール１２と、このカーテンレール１２に沿って移動可能に取付けられ窓１４を覆うか又は部屋を区画するために用いられるカーテン本体１３とを備えたカーテンにおいて、カーテン本体１３の両側縁のうち少なくとも一側縁に係止手段２６が取外し不能又は取外し可能に取付けられ、カーテン本体１３によって窓１４を覆った状態又は部屋を区画した状態で係止手段２６を係止可能な被係止手段２７が係止手段２６に対向する壁１６、窓枠又は柱に取付けられ、係止手段２６が強磁性体により形成された係止部２６ａを有し、被係止手段２７が、永久磁石により形成された被係止部２７ａと、この被係止部２７ａを保持する保持部２７ｂと、この保持部２７ｂを壁１６、窓枠又は柱に取付ける取付部２７ｃと、保持部２７ｂ及び取付部２７ｃを連結するヒンジ部２７ｄとを有し、保持部２７ｂ、取付部２７ｃ及びヒンジ部２７ｄがプラスチックにより一体的に形成され、取付部２７ｃが壁１６、窓枠又は柱に強磁性体製の皿ビス２８により固定され、保持部２７ｂがヒンジ部２７ｄを中心に取付部２７ｃに対して回動することにより、保持部２７ｂが取付部２７ｃに重なる収納状態と、保持部２７ｂが取付部２７ｃに対して略直角になる使用状態とに変更可能に構成されたことを特徴とする。
【発明の効果】
【０００８】
本発明の第１の観点の光漏れ防止具では、カーテン本体により窓を覆ったとき又は部屋を区画したときに、カーテン本体に取付けられた係止手段を、壁等に取付けられた被係止手段に係止させる。これによりカーテン本体の側縁が壁等に固定されるので、カーテン本体の側縁と壁等との間の隙間が塞がれ、風が吹いてもカーテン本体の側縁がはためくことはない。この結果、室外の光又は区画された隣室の光がカーテン本体の側縁から室内に侵入するのを確実に防止できる。また、収納状態で、永久磁石により形成された被係止部と強磁性部材により形成された皿ビスとの間に働く磁力（互いに引き合う力）により、収納状態が維持され、意図せずに保持部が取付部から離脱しない。この結果、収納状態では、保持部が室内に突出しないので、物品等が保持部に引っ掛かることはない。
【図面の簡単な説明】
【０００９】
【図１】（ａ）は本発明第１実施形態のカーテンの光漏れ防止具の被係止手段が収納された状態を示す図２のＡ−Ａ線断面図であり、（ｂ）はその光漏れ防止具の係止手段が被係止手段に係止した状態を示す図３のＢ−Ｂ線断面図である。
【図２】カーテン本体をタッセルで束ねて窓が開放されかつ光漏れ防止具の被係止手段が収納された状態を示す要部斜視図である。
【図３】カーテン本体で窓を覆って光漏れ防止具の係止手段が被係止手段に係止した状態を示す要部斜視図である。
【発明を実施するための形態】
【００１０】
次に本発明を実施するための形態を図面に基づいて説明する。
＜第１の実施の形態＞
図１〜図３に示すように、カーテン１１は、窓１４の上縁に沿うように壁１６に取付けられるカーテンレール１２と、このカーテンレール１２に沿って移動可能に取付けられたカーテン本体１３とを備える。窓１４は部屋の壁１６に四角形状に形成された開口部であり、この窓１４には四角枠状の木製の窓枠１７とアルミ製の窓枠１８とが挿着される。そしてアルミ製の窓枠１８には、２枚の窓ガラス１９，１９が引き違いになるように水平方向に移動可能に取付けられる。壁１６は、室内側に設けられ石膏ボード等により形成された内壁部１６ａと、室外側に設けられサイディング等により形成された外壁部１６ｂと、内壁部１６ａ及び外壁部１６ｂ間に設けられた柱部１６ｃや断熱材（図示せず）等により構成される。
【００１１】
カーテンレール１２は、窓１４の上縁に沿って水平方向に延びるレール本体２１と、このレール本体２１を壁１６に取付けるブラケット２２と、レール本体２１の両端に装着されるエンドキャップ２３とを有する（図２及び図３）。レール本体２１の下面には、このレール本体２１の全長にわたって延びるレール溝２１ａが形成される。またレール本体２１は鋼板のプレス加工やアルミ合金の押出し加工又は引抜き加工等により形成される。更にブラケット２２，２２は所定の間隔をあけて２つ設けられる。これらのブラケット２２，２２は、略Ｌ字状に形成され、図示しないビスにより壁１６に取付けられて壁１６に密着する基部２２ａと、基部２２ａの下端に壁１６から離れる方向に突設され下面にレール本体２１が密着するレール受け部２２ｂとを有する。
【００１２】
一方、カーテン本体１３は可撓性を有する生地等により形成される。またカーテン本体１３の上縁には所定の間隔をあけて複数のフック（図示せず）が取付けられ、レール本体２１には複数のランナ（図示せず）が摺動可能に取付けられる。そして複数のフックを複数のランナにそれぞれ係合し、フックがランナとともにレール本体２１に沿って移動することにより、カーテン本体１３を展開又は折畳み可能に構成される。更に、カーテン１１は、この実施の形態では、１枚のカーテン本体１３で窓全体を覆う片開き式のカーテンである。即ち、カーテン本体１３の一端のフックをカーテンレール１２のエンドキャップ２３に係合させることにより、カーテン本体１３の一端がカーテンレール１２の一端に固定され、カーテン本体１３の他端をカーテンレール１２の一端から他端に向って移動させることによりカーテン本体１３が展開され、カーテン本体１３の他端をカーテンレール１２の他端から一端に向って移動させることによりカーテン本体１３が折畳まれるように構成される。なお、図２中の符号２４はカーテン本体１３を折畳んだ状態で束ねるタッセルである。このタッセル２４の両端には一対のリング（図示せず）が設けられ、これらのリングは、カーテンレール１２の一端側の壁１６、即ち窓１４の両側縁のうち一側縁側の壁１６に取付けられた房掛け（図示せず）に係止される。この房掛けは窓１４の一側縁近傍の壁１６に取付けられる。具体的には、房掛けは、折畳まれたカーテン本体１３の鉛直方向中央部に位置するように壁１６に取付けられる。
【００１３】
カーテン本体１３の両側縁下部には係止手段２６がそれぞれ取付けられる。図１及び図３には、カーテン本体１３の他側縁下部に取付けられた係止手段２６のみを示し、カーテン本体１３の一側縁下部に取付けられた係止手段を示していないけれども、両者とも同一に構成されるので、カーテン本体１３の他側縁下部に取付けられた係止手段２６を代表して説明する。この係止手段２６は、カーテン本体１３の他側縁下部のうち窓ガラス１９に対向する面に設けられた係止部２６ａと、カーテン本体１３の他側縁下部のうち窓ガラス１９とは反対側の面に設けられた固定部２６ｂとを有する。係止部２６ａ及び固定部２６ｂは鋼等の強磁性体により形成される。また固定部２６ｂがカーテン本体１３を挟んで係止部２６ａに圧入やカシメ等で係合することにより、係止手段２６がカーテン本体１３に取外し不能に取付けられる。
【００１４】
一方、カーテン本体１３によって窓１４を覆った状態、即ちカーテン本体１３を展開した状態で、被係止手段２７が係止手段２６に対向する壁１６（内壁部１６ａ及び柱部１６ｃ）に取付けられる。図１〜図３には、展開されたカーテン本体１３の他側縁下部の係止手段２６に対向する壁１６に取付けられた被係止手段２７のみを示し、展開されたカーテン本体１３の一側縁下部の係止手段に対向する壁１６に取付けられた被係止手段を示していないけれども、両者とも同一に構成されるので、展開されたカーテン本体１３の他側縁下部の係止手段２６に対向する壁１６に取付けられた被係止手段２７を代表して説明する。この被係止手段２７は、係止手段２６の係止部２６ａに係止可能な被係止部２７ａと、この被係止部２７ａを保持する保持部２７ｂと、保持部２７ｂを壁１６に取付ける取付部２７ｃと、保持部２７ｂ及び取付部２７ｃを連結するヒンジ部２７ｄとを有する。被係止部２７ａは永久磁石により円形又は四角形の板状に形成される。また保持部２７ｂ、取付部２７ｃ及びヒンジ部２７ｄはポリアセタール等のプラスチックにより一体的に形成される。保持部２７ｂには被係止部２７ａを収容可能な凹部２７ｅが形成され、取付部２７ｃには円錐台状の孔２７ｆが形成される（図１）。この円錐台状の孔２７ｆには、取付部２７ｃを壁１６（内壁部１６ａ及び柱部１６ｃ）に固定する皿ビス２８の頭部が収容され、この皿ビス２８は鋼等の強磁性体により形成される。
【００１５】
更にヒンジ部２７ｄは、薄肉に形成することにより可撓性及び柔軟性を有するインテグラルヒンジを構成し、このヒンジ部２７ｄを中心に保持部２７ｂを取付部２７ｃに対して回動可能に構成される。即ち、保持部２７ｂがヒンジ部２７ｄを中心に取付部２７ｃに対して回動することにより、保持部２７ｂが取付部２７ｃに重なる収納状態（図１（ａ））と、保持部２７ｂが取付部２７ｃに対して略直角になる使用状態（図１（ｂ））とに変更可能に構成される。凹部２７ｅは保持部２７ｄの両面のうち上記収納状態で室内に露出する面に形成される。なお、上記収納状態では、永久磁石により形成された被係止部２７ａと強磁性部材により形成された皿ビス２８との間に働く磁力（互いに引き合う力）により、収納状態が維持され、意図せずに保持部２７ｂが取付部２７ｃから離脱しないように構成される。これにより上記収納状態では、保持部２７ｂが室内に突出しないので、物品等が保持部２７ｂに引っ掛かることはない。
【００１６】
このように構成されたカーテン１１の光漏れ防止具の使用方法を説明する。室外の光が室内に差し込んで眩しいときには、先ずカーテン本体１３を束ねているタッセル２４（図２）のリングを房掛けから外し、カーテン本体１３の他側縁を把持してカーテン本体１３をカーテンレール１２に沿って移動させ、カーテン本体１３を展開する。次にこの展開されたカーテン本体１３の他側縁下部の係止手段２６に対向する壁１６に取付けられた被係止手段２７の保持部２７ｂを把持して、被係止部２７ａ及び皿ビス２８間の磁力に抗して手前に引き、保持部２７ｂが取付部２７ｃに対して略直角になる使用状態にした後に、カーテン本体１３の他側縁下部の係止部２６ａを上記使用状態の被係止部２７ａに係止させる（図３）。更に図示しないが、展開されたカーテン本体１３の一側縁下部の係止手段に対向する壁１６に取付けられた被係止手段の保持部を把持して、上記と同様に保持部が取付部に対して略直角になる使用状態にした後に、カーテン本体１３の一側縁下部の係止部を上記使用状態の被係止部に係止させる。これによりカーテン本体１３の両側縁の下部が壁１６にそれぞれ固定されるので、カーテン本体１３の両側縁と壁１６との間の隙間が塞がれ、ガラス窓１９を開けて風が吹き込んでもカーテン本体１３の両側縁がはためくことはない。この結果、室外の光がカーテン本体１３の両側縁から室内に侵入するのを確実に防止できる。
【００１７】
なお、上記第１の実施の形態では、カーテンレールを壁に取付けたが、カーテンレールを窓枠や天井に取付けてもよい。また、上記第１の実施の形態では、被係止手段を壁（内装材及び柱）に取付けたが、被係止手段を窓枠又は露出した柱に取付けてもよい。また、上記第５の実施の形態では、房掛けを壁（内装材及び柱）に取付けたが、房掛けを窓枠又は露出した柱に取付けてもよい。
【００１８】
また、上記第１の実施の形態では、係止手段が強磁性体により形成された係止部を有し、かつ被係止手段が永久磁石により形成された被係止部を有したが、係止手段が永久磁石により形成された係止部を有し、かつ被係止手段が強磁性体により形成された被係止部を有したり、或いは係止手段及び被係止手段が永久磁石により形成された係止部及び被係止部をそれぞれ有し、かつ係止部及び被係止部を極性の異なる永久磁石によりそれぞれ形成してもよい。また係止手段が第１面ファスナを有し、かつ被係止手段が第１面ファスナに係止可能な第２面ファスナを有するように構成したり、或いは係止手段がピンを有し、かつ被係止手段がピンを挿入可能な受け具を有するように構成してもよい。
【００１９】
更に、上記第１の実施の形態では、カーテン本体により窓を覆ったが、カーテン本体により部屋を区画してもよい。この場合、カーテンレールは天井に取付けられる。このように構成されたカーテンの光漏れ防止具では、カーテン本体により部屋を区画したときに、カーテン本体に取り付けられた係止手段を、天井に取付けられた被係止手段に係止させる。これによりカーテンの側縁の鉛直方向中央部又は下部が壁等に固定されるので、風が吹いても、カーテンの側縁がはためくことはない。この結果、区画された隣室の光がカーテン本体の側縁から室内に侵入するのを確実に防止できる。
【符号の説明】
【００２０】
１１  カーテン
１２  カーテンレール
１３  カーテン本体
１４  窓
１６  壁
２４  タッセル
２６  係止手段
２６ａ  係止部
２７  被係止手段
２７ａ  被係止部
【図１】
2016147112.tif 000003
【図２】
2016147112.tif 000004
【図３】
2016147112.tif 000005